(57)【要約】【課題】挿入孔に対応した部分が邪魔になりにくく、落下してきたごみが中に入りにくく、しかも、開封されたことを容易に判別することができる、ケースを提供する。【課題を解決するための手段】【解決手段】ケース１０は、４角筒状に接続された４つの側壁１２ａ〜１２ｄを有する本体１２を含む。本体１２の側壁１２ａと外蓋フラップ１４ａとの境界部分には、切断用ミシン目１６が形成される。外蓋フラップ１４ａの先端には、挿入片２０が形成される。外蓋フラップ１４ａと挿入片２０との境界部分の両端には、係止用切込２０、２０がそれぞれ形成される。本体１２の側壁１２ｃには、挿入片２０を挿入するための挿入孔２６が形成される。【選択図】図５
0003101939.tif 000002
【実用新案登録請求の範囲】
【請求項１】
４角筒状に接続された４つの側壁を有する本体、
前記本体の上端に形成された蓋、および
前記本体の下端に形成された底を含むケースであって、
前記蓋は、
前記本体の１つの側壁の上端からのびて形成された外蓋フラップ、
前記本体の前記１つの側壁に隣接する他の側壁の上端からのびて形成された中間蓋フラップ、および
前記本体の前記１つの側壁に対向する他の側壁の上端からのびて形成された内蓋フラップを含み、
前記本体の前記１つの側壁と前記外蓋フラップとの境界部分に、前記外蓋フラップを前記本体の前記１つの側壁から切断しやすくするための切断用ミシン目が形成され、
前記外蓋フラップの先端に挿入片が形成され、
前記外蓋フラップと前記挿入片との境界部分の両端に係止用切込がそれぞれ形成され、
前記本体において前記内蓋フラップが形成された前記他の側壁に、前記挿入片を挿入するための挿入孔が形成された、ケース。
【請求項２】
前記中間蓋フラップは前記本体の上端の開口と同じ大きさの矩形に形成され、
前記中間蓋フラップの先端に差込片が形成された、請求項１に記載のケース。
【請求項３】
前記本体において前記挿入孔の端部に、前記挿入孔から前記本体が割れることを防止するための円形の割れ防止用孔が形成された、請求項１または請求項２に記載のケース。
【考案の詳細な説明】
【技術分野】
【０００１】
この考案はケースに関し、特に、たとえば化粧品や整髪料などの商品が入れられるケースであって、開封されたことを容易に判別することができるケースに関する。
【背景技術】
【０００２】
この考案の背景となる従来のケースには、４角筒状の本体を含み、本体の上端に蓋が形成され、本体の下端に底が形成されたものがある。蓋は、外蓋フラップ、２つのサイド蓋フラップおよび内蓋フラップを含む。外蓋フラップは本体の上端において１辺からのびて形成され、２つのサイド蓋フラップは本体の上端においてその１辺の両側の２辺からのびて形成され、内蓋フラップは本体の上端においてその１辺に対向する他の１辺からのびて形成される。外蓋フラップの先端には挿入片が形成され、外蓋フラップと挿入片との境界部分の両端には切込がそれぞれ形成される。また、サイド蓋フラップには、挿入片を挿入するための切欠が形成される。さらに、内蓋フラップには、挿入片を挿入するための挿入孔が形成される。また、挿入孔から本体にわたる部分、または、外蓋フラップと挿入片との境界部分において切込間の部分には、切り取り用のミシン目が形成される（たとえば、特許文献１参照）。
このケースでは、蓋を閉じる際に、２つのサイド蓋フラップ、内蓋フラップおよび外蓋フラップがその順に閉じられる。この場合、外蓋フラップの先端に形成された挿入片は、内蓋フラップに形成された挿入孔に挿入され、さらに、サイド蓋フラップに形成された切欠に挿入される。また、この場合、内蓋フラップとサイド蓋フラップとの一部分が、外蓋フラップと挿入片との境界部分の切込に挿入される。このように、このケースでは、蓋を閉じた場合に、本体の上端の１辺に形成された外蓋フラップの先端の挿入片が、本体の上端の１辺に対向する他の１辺に形成された内蓋フラップの挿入孔に挿入されているので、本体と２つのサイド蓋フラップとの間に隙間が生じにくい。そのため、挿入片は、２つのサイド蓋フラップから外しにくく、サイド蓋フラップの切欠や内蓋フラップの挿入孔から抜きにくい。
また、このケースでは、蓋を閉じた状態から開封する際に、切り取り用のミシン目によって、挿入孔から本体にわたる部分が切断され、または、挿入片が外蓋フラップから切断される。
したがって、このケースでは、切り取り用のミシン目による切断状態によって、開封されたことを容易に判別することができる。
【０００３】
【特許文献１】特開２００２−２７４５３１公報
【考案の開示】
【考案が解決しようとする課題】
【０００４】
ところが、上述のケースでは、内蓋フラップに形成された挿入孔に対応した部分が、天面より上方に突き出して邪魔になる場合がある。
さらに、上述のケースでは、天面に位置する内蓋フラップに挿入孔が形成されているため、落下してきたごみが挿入孔から中に入ってしまうおそれがある。
【０００５】
それゆえに、この考案の主たる目的は、挿入孔に対応した部分が邪魔になりにくく、落下してきたごみが中に入りにくく、しかも、開封されたことを容易に判別することができる、ケースを提供することである。
【課題を解決するための手段】
【０００６】
この考案にかかるケースは、４角筒状に接続された４つの側壁を有する本体と、本体の上端に形成された蓋と、本体の下端に形成された底とを含むケースであって、蓋は、本体の１つの側壁の上端からのびて形成された外蓋フラップと、本体の１つの側壁に隣接する他の側壁の上端からのびて形成された中間蓋フラップと、本体の１つの側壁に対向する他の側壁の上端からのびて形成された内蓋フラップとを含み、本体の１つの側壁と外蓋フラップとの境界部分に、外蓋フラップを本体の１つの側壁から切断しやすくするための切断用ミシン目が形成され、外蓋フラップの先端に挿入片が形成され、外蓋フラップと挿入片との境界部分の両端に係止用切込がそれぞれ形成され、本体において内蓋フラップが形成された他の側壁に、挿入片を挿入するための挿入孔が形成された、ケースである。
この考案にかかるケースでは、蓋を閉じる際に、内蓋フラップ、中間蓋フラップおよび外蓋フラップがその順に閉じられる。この場合、外蓋フラップの先端に形成された挿入片は、本体の側壁に形成された挿入孔に挿入される。さらに、この場合、外蓋フラップと挿入片との境界部分に形成された係止用切込には、本体の側壁において挿入孔の周辺部分が引っ掛かる。そのため、蓋を閉じた場合に、挿入片は挿入孔から抜きにくくなり、蓋は簡単に開けることができない。
また、この考案にかかるケースでは、蓋を閉じた状態から開封する際に、切断用ミシン目によって、外蓋フラップが本体の側壁から切断される。そのため、切断用ミシン目による外蓋フラップの切断状態によって、開封されたことを容易に判別することができる。
さらに、この考案にかかるケースでは、側面に位置する本体の側壁に挿入孔が形成されているので、挿入孔に対応する部分が天面より上方に飛び出さず邪魔になりにくい。
また、この考案にかかるケースでは、側面に位置する本体の側壁に挿入孔が形成されているので、落下してきたごみが挿入孔から中に入りにくい。
【０００７】
この考案にかかるケースでは、中間蓋フラップは本体の上端の開口と同じ大きさの矩形に形成され、中間蓋フラップの先端に差込片が形成されることが好ましい。このようにすれば、蓋を閉じた場合に、差込片は本体の側壁と内蓋フラップとの間に差し込まれているが、中間蓋フラップによって本体を補強することができる。
【０００８】
また、この考案にかかるケースでは、本体において挿入孔の端部に、挿入孔から本体が割れることを防止するための円形の割れ防止用孔が形成されることが好ましい。このように割れ防止用孔を形成すれば、本体が挿入孔の端部から割れることを防止することができる。
【考案の効果】
【０００９】
この考案によれば、挿入孔に対応した部分が邪魔になりにくく、落下してきたごみが中に入りにくく、しかも、開封されたことを容易に判別することができる、ケースが得られる。
この考案にかかるケースでは、中間蓋フラップを本体の上端の開口と同じ大きさの矩形に形成し、中間蓋フラップの先端に差込片を形成すれば、蓋を閉じた場合に中間蓋フラップによって本体を補強することができる。
また、この考案にかかるケースでは、本体において挿入孔の端部に、挿入孔から本体が割れることを防止するための円形の割れ防止用孔を形成すれば、本体が挿入孔の端部から割れることを防止することができる。
【００１０】
この考案の上述の目的、その他の目的、特徴および利点は、図面を参照して行う以下の考案を実施するための最良の形態の説明から一層明らかとなろう。
【考案を実施するための最良の形態】
【００１１】
図１はこの考案にかかるケースの一例を示す斜視図であり、図２はそのケースの展開図である。図１に示すケース１０は、全体がたとえばポリプロピレンなどの合成樹脂で形成される。ケース１０は４角筒状の本体１２を含む。本体１２は、４つの側壁１２ａ、１２ｂ、１２ｃおよび１２ｄを有し、４つの側壁１２ａ〜１２ｄはのりしろ部分１２ｅを接着することによって４角筒状に接続される。
【００１２】
本体１２の上端には、蓋１４が形成される。蓋１４は、外蓋フラップ１４ａ、中間蓋フラップ１４ｂおよび内蓋フラップ１４ｃを含む。この例では、外蓋フラップ１４ａは本体１２の側壁１２ａの上端からのびて形成され、中間蓋フラップ１４ｂは本体１２の側壁１２ａに隣接する他の側壁１２ｂの上端からのびて形成され、内蓋フラップ１４ｃは本体１２の側壁１２ａに対向する他の側壁１２ｃの上端からのびて形成される。
【００１３】
外蓋フラップ１４ａは、蓋１４を閉じる際に、中間蓋フラップ１４ｂ上に重ねられるものである。外蓋フラップ１４ａと本体１２の側壁１２ａとの境界部分には、切断用ミシン目１６が形成される。切断用ミシン目１６は、外蓋フラップ１４ａを本体１２の側壁１２ａから切断しやすくするためのものである。切断用ミシン目１６としては、その部分を切断しやすくするために、たとえば、個々の切目の長さが０．５ｍｍでありかつ個々の止（切目間）の長さが０．３５ｍｍであるミシン目が使用される。
【００１４】
外蓋フラップ１４ａにおいて切断用ミシン目１６側の隅であって側壁１２ｂ側の隅には、切欠１８が形成される。この切欠１８は、蓋１４を閉じた場合に、中間蓋フラップ１４ｂ上に重ねられた外蓋フラップ１４ａに指を掛けやすくするためのものである。
【００１５】
外蓋フラップ１４ａの先端には、たとえば舌状の挿入片２０が形成される。挿入片２０は、蓋１４を閉じる際に、後述の挿入孔２６に挿入されるものである。また、外蓋フラップ１４ａと挿入片２０との境界部分の両端には、係止用切込２２、２２がそれぞれ形成される。係止用切込２２、２２は、挿入片２０を挿入孔２６に挿入した場合に、挿入片２０を挿入孔２６から抜きにくくするためのもである。
【００１６】
中間蓋フラップ１４ｂは、蓋１４を閉じる際に、内蓋フラップ１４ｃ上に重ねられるものである。中間蓋フラップ１４ｂは、本体１２の上端の開口と同じ大きさの矩形に形成される。また、中間蓋フラップ１４ｂの先端には、たとえば舌状の差込片２４が形成される。差込片２４は、蓋１４を閉じる際に、本体１２の側壁１２ｄと内蓋フラップ１４ｃとの間に差込まれるものである。
【００１７】
内蓋フラップ１４ｃは、蓋１４を閉じる際に、外蓋フラップ１４ａおよび中間蓋フラップ１４ｂより先に閉じられるものである。内蓋フラップ１４ｃは、本体１２の側壁１２ｃと同じ幅に形成される。
【００１８】
本体１２において内蓋フラップ１４ｃが形成された側壁１２ｃには、挿入孔２６が形成される。挿入孔２６は、蓋１４を閉じる際に、挿入片２０を挿入するためのものである。挿入孔２６は、直線状の中間部分２６ａと、Ｌ字状の２つの外側部分２６ｂ、２６ｂとを有する。
挿入孔２６の中間部分２６ａは、本体１２の側壁１２ｃの上端の中央に形成される。この中間部分２６ａは、挿入片２０の幅の一番広い部分より短く形成され、かつ、２つの係止用切込２２、２２間の間隔より長く形成される。
また、挿入孔２６の外側部分２６ｂ、２６ｂは、本体１２の側壁１２ｃにおいて、中間部分２６ａの両端からまず下方にのびて形成されさらに互いに逆の左右方向（外側方向）にのびて形成される。これらの外側部分２６ｂ、２６ｂは、挿入片２０の幅の一番広い部分に対応して形成される。
したがって、挿入孔２６に挿入片２０を挿入すれば、本体１２の側壁１２ｃにおいて挿入孔２６の外側部分２６ｂ、２６ｂの周辺部分が係止用切込２２、２２に引っ掛かって、挿入孔２６から挿入片２０を抜きにくい。
【００１９】
本体１２の側壁１２ｃにおいて挿入孔２６の両端部には、円形の割れ防止用孔２８、２８がそれぞれ形成される。割れ防止用孔２８、２８は、挿入孔２６から本体１２が割れることを防止するためのものである。
【００２０】
本体１２の側壁１２ｄの上端には、吊下げ片３０が形成される。吊下げ片３０の上部の中央には、たとえば円形の吊下げ用孔３２が形成される。
【００２１】
本体１２の下端には、周知の底３４が形成される。すなわち、底３４は、本体１２の４つの側壁１２ａ、１２ｂ、１２ｃおよび１２ｄの下端からのびる４つの底フラップ３４ａ、３４ｂ、３４ｃおよび３４ｄを含む。底フラップ３４ａおよび３４ｂは重ねられた状態で接着され、底フラップ３４ｃおよび３４ｄも重ねられた状態で接着され、さらに、底フラップ３４ｂおよび３４ｄが互いに組み込まれることによって、図３に示すように、底３４が形成される。
【００２２】
このケース１０では、図４に示す状態から蓋１４を閉じる際に、まず、図５に示すように、内蓋フラップ１４ｃが閉じられる。
【００２３】
次に、図６に示すように、中間蓋フラップ１４ｂが閉じられる。この場合、中間蓋フラップ１４ｂの先端に形成された差込片２４は、本体１２の側壁１２ｄと内蓋フラップ１４ｃとの間に差込まれる。
【００２４】
そして、図７に示すように、外蓋フラップ１４ａが閉じられる。この場合、外蓋フラップ１４ａの先端に形成された挿入片２０は、図１に示すように、本体１２の側壁１２ｃに形成された挿入孔２６に挿入される。また、この場合、外蓋フラップ１４ａと挿入片２０との境界部分に形成された係止用切込２２、２２には、本体１２の側壁１２ｃにおいて挿入孔２６の外側部分２６ｂ、２６ｂの周辺部分が引っ掛かる。そのため、このケース１０では、蓋１４を閉じた場合に、挿入片２０は挿入孔２６から抜きにくくなり、蓋１４は簡単に開けることができない。
【００２５】
また、このケース１０では、蓋１４を閉じた状態から開封する際に、図８に示すように、切断用ミシン目１６によって、外蓋フラップ１４ａが本体１２の側壁１２ａから切断される。この場合、外蓋フラップ１４ａにおいて切欠１８が形成された部分に指を掛けやすいので、外蓋フラップ１４ａを本体１２から簡単に切断することができる。それから、中間蓋フラップ１４ｂおよび内蓋フラップ１４ｃがこの順に開けられ、蓋１４が開けられる。そのため、このケース１０では、切断用ミシン目１６による外蓋フラップ１４ａの切断状態によって、開封されたことを容易に判別することができる。
【００２６】
さらに、このケース１０では、側面に位置する本体１２の側壁１２ｃに挿入孔２６が形成されているので、挿入孔２６に対応する部分が天面より上方に飛び出さず邪魔になりにくい。
【００２７】
また、このケース１０では、側面に位置する本体１２の側壁１２ｃに挿入孔２６が形成されているので、落下してきたごみが挿入孔２６から中に入りにくい。
【００２８】
さらに、このケース１０では、中間蓋フラップ１４ｂは本体１２の上端の開口と同じ大きさの矩形に形成され、内蓋フラップ１４ｃは本体１２の側壁１２ｃと同じ幅に形成されているので、蓋１４を閉じた場合に、中間蓋フラップ１４ｂおよび内蓋フラップ１４ｃによって本体１２を補強することができる。
【００２９】
また、このケース１０では、本体１２の側壁１２ｃにおいて挿入孔２６の両端部に割れ防止用孔２８、２８が形成されているので、本体１２が挿入孔２６の両端部から割れることを防止することができる。
【００３０】
さらに、このケース１０は、吊下げ用孔３２に棒状の部材を挿入すれば、吊下げることができる。
【００３１】
図９はこの考案にかかるケースの他の例を示す展開図である。図９に示すケース１０では、図１に示すケース１０と比べて、外蓋フラップ１４ａは本体１２の側壁１２ｃの上端からのびて形成され、内蓋フラップ１４ｃは本体１２の側壁１２ａの上端からのびて形成される。また、切断用ミシン目１６は、本体１２の側壁１２ｃと外蓋フラップ１４ａとの境界部分に形成される。さらに、外蓋フラップ１４ａには、切欠１８が形成される代わりに、切断用ミシン目１６側の端部であって本体１２の側壁１２ｂ側の端部に、摘み片１９が形成される。また、中間蓋フラップ１４ｂには、本体１２の側壁１２ｃ側の側部に、切欠２１が形成される。この切欠２１は、中間蓋フラップ１４ｂを開閉する際に中間蓋フラップ１４ｂが外蓋フラップ１４ａに形成された摘み片１９に当たりにくくして、中間蓋フラップ１４ｂの開閉をスムースに行わせるためのものである。さらに、挿入孔２６および割れ防止用孔２８、２８は、本体１２の側壁１２ａに形成される。
【００３２】
図９に示すケース１０でも、図１に示すケース１０と同様に、図１０に示す状態から蓋１４を閉じる際に、まず、図１１に示すように、内蓋フラップ１４ｃが閉じられる。次に、図１２に示すように、中間蓋フラップ１４ｂが閉じられる。この場合、差込片２４は、本体１２の側壁１２ｄと内蓋フラップ１４ｃとの間に差込まれる。そして、図１３に示すように、外蓋フラップ１４ａが閉じられる。この場合、挿入片２０は、本体１２の側壁１２ａに形成された挿入孔２６に挿入される。さらに、この場合、係止用切込２２、２２には、本体１２の側壁１２ａにおいて挿入孔２６の外側部分２６ｂ、２６ｂの周辺部分が引っ掛かる。そのため、このケース１０でも、蓋１４を閉じた場合に、挿入片２０は挿入孔２６から抜きにくくなり、蓋１４は簡単に開けることができない。
【００３３】
また、図９に示すケース１０でも、蓋１４を閉じた状態から開封する際に、図１４に示すように、切断用ミシン目１６によって、外蓋フラップ１４ａが本体１２の側壁１２ｃから切断される。この場合、外蓋フラップ１４ａに形成された摘み片１９に指を掛けやすいので、外蓋フラップ１４ａを本体１２から簡単に切断することができる。それから、中間蓋フラップ１４ｂおよび内蓋フラップ１４ｃがこの順に開けられ、蓋１４が開けられる。そのため、このケース１０でも、切断用ミシン目１６による外蓋フラップ１４ａの切断状態によって、開封されたことを容易に判別することができる。
【００３４】
さらに、図９に示すケース１０でも、図１に示すケース１０と同様に他の効果を奏する。
【００３５】
図１５はこの考案にかかるケースのさらに他の例を示す展開図である。図１５に示すケース１０では、図９に示すケース１０と比べて、摘み片１９が外蓋フラップ１４ａの側部の中央に形成されしかもあまり突出しないように小さく形成される。そのため、中間蓋フラップ１４ｂには、切欠２１が形成されない。
【００３６】
図１５に示すケース１０でも、図９に示すケース１０と同様に、図１６に示すように蓋１４が閉じられ、図１７に示すように外蓋フラップ１４ａが切断用ミシン１６で切断されて開かれる。
【００３７】
図１５に示すケース１０でも、図９に示すケース１０と同様の効果を奏する。
【００３８】
なお、上述の各ケース１０には吊下げ片３０が形成されているが、この考案にかかるケースには吊下げ片は形成されなくてもよい。
【産業上の利用可能性】
【００３９】
この考案にかかるケースは、たとえば化粧品や整髪料などの商品を入れるケースに適用できる。
【図面の簡単な説明】
【００４０】
【図１】この考案にかかるケースの一例を示す斜視図である。
【図２】図１に示すケースの展開図である。
【図３】図１に示すケースの底を示す図解図である。
【図４】図１に示すケースにおいて蓋を閉じる前の状態を示す図解図である。
【図５】図１に示すケースにおいて内蓋フラップを閉じた状態を示す図解図である。
【図６】図１に示すケースにおいて内蓋フラップおよび中間蓋フラップを閉じた状態を示す図解図である。
【図７】図１に示すケーズにおいて蓋を閉じた状態を示す図解図である。
【図８】図１に示すケースにおいて外蓋フラップを本体から切断して開く状態を示す図解図である。
【図９】この考案にかかるケースの他の例を示す展開図である。
【図１０】図９に示すケースにおいて蓋を閉じる前の状態を示す図解図である。
【図１１】図９に示すケースにおいて内蓋フラップを閉じた状態を示す図解図である。
【図１２】図９に示すケースにおいて内蓋フラップおよび中間蓋フラップを閉じた状態を示す図解図である。
【図１３】図９に示すケースにおいて蓋を閉じた状態を示す図解図である。
【図１４】図９に示すケースにおいて外蓋フラップを本体から切断して開く状態を示す図解図である。
【図１５】この考案にかかるケースのさらに他の例を示す展開図である。
【図１６】図１５に示すケースにおいて蓋を閉じた状態を示す図解図である。
【図１７】図１５に示すケースにおいて外蓋フラップを本体から切断して開く状態を示す図解図である。
【符号の説明】
【００４１】
１０  ケース
１２  本体
１２ａ〜１２ｄ  側壁
１４  蓋
１４ａ  外蓋フラップ
１４ｂ  中間蓋フラップ
１４ｃ  内蓋フラップ
１６  切断用ミシン目
１８  切欠
１９  摘み片
２０  挿入片
２１  切欠
２２  係止用切込
２４  差込片
２６  挿入孔
２６ａ  中間部分
２６ｂ  外側部分
２８  割れ防止用孔
３０  吊下げ片
３２  吊下げ用孔
３４  底
【図１】
0003101939.tif 000003
【図２】
0003101939.tif 000004
【図３】
0003101939.tif 000005
【図４】
0003101939.tif 000006
【図５】
0003101939.tif 000007
【図６】
0003101939.tif 000008
【図７】
0003101939.tif 000009
【図８】
0003101939.tif 000010
【図９】
0003101939.tif 000011
【図１０】
0003101939.tif 000012
【図１１】
0003101939.tif 000013
【図１２】
0003101939.tif 000014
【図１３】
0003101939.tif 000015
【図１４】
0003101939.tif 000016
【図１５】
0003101939.tif 000017
【図１６】
0003101939.tif 000018
【図１７】
0003101939.tif 000019